【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
陰圧創傷治療を行う創傷治療用装置であって、前記創傷治療用装置は、
創傷に挿入するための安定化構造体を備え、前記安定化構造体は、
ｙ方向に対応する長さであって、前記安定化構造体の第１端と第２端との間で前記安定化構造体の中央長軸に沿って延在する長さと、
ｘ方向に対応する幅であって、前記長さに対して直角を成し、前記安定化構造体の第１面と第２面と間の前記安定化構造体の中央横軸に沿って延在する幅と、
ｚ方向に対応する高さであって、前記長さおよび前記幅に対して直角を成し、前記安定化構造体の上面と底面との間で延在する高さとを有し、
前記長さおよび前記幅は、それぞれ前記高さより大きく、
前記安定化構造体は、１または複数の壁によって画定された複数のセルであって、前記ｘ方向および前記ｙ方向に平行な水平面内で並んで設けられている前記複数のセルを有し、
前記複数のセルのそれぞれは、上端および下端を含み、前記ｚ方向に前記上端から前記下端にわたって開口部が延在し、
前記安定化構造体は、前記創傷内に挿入されたとき、前記創傷に陰圧を加えると、前記安定化構造体は、前記ｚ方向よりも前記水平面内で大きくつぶれ、前記安定化構造体は、前記ｙ方向よりも前記ｘ方向に大きくつぶれるように構成されており、
前記安定化構造体の前記中央横軸のより近くに配置されたセルは、前記安定化構造体の前記中央横軸からより遠くに配置されたセルより速やかにつぶれるように寸法決めされ構成されている、
装置。
【請求項２】
前記安定化構造体の前記中央長軸からより遠くに配置された外側セルは、前記安定化構造体の前記中央長軸のより近くに配置された内側セルよりも先につぶれるように寸法決めされ構成されている、請求項１に記載の装置。
【請求項３】
前記安定化構造体の前記中央横軸のより近くに配置されたセルは、前記安定化構造体の前記中央横軸からより遠くに配置されたセルより先につぶれるように寸法決めされ構成されている、請求項１に記載の装置。
【請求項４】
前記安定化構造体は目の形を有し、前記安定化構造体は、均一または不均一な厚さの壁を備える、請求項１に記載の装置。
【請求項５】
前記安定化構造体は、異なるサイズのセルを備える、請求項１に記載の装置。
【請求項６】
前記安定化構造体の前記中央横軸のより近くに配置されたセルは、前記安定化構造体の前記中央横軸からより遠くに配置されたセルよりも大きい、または、前記安定化構造体の前記中央長軸のより近くに配置されたセルは、前記安定化構造体の前記中央長軸からより遠くに配置されたセルよりも大きい、請求項１に記載の装置。
【請求項７】
セルは、異なる剛性を有する１または複数の壁によって画定される、請求項１に記載の装置。
【請求項８】
前記複数のセルを画定する前記１または複数の壁は、ショア硬度８０以下を有する材料、またはショア硬度６０以下を有する材料、またはショア硬度４０以下を有する材料で作られている、請求項１に記載の装置。
【請求項９】
前記複数のセルを画定する前記１または複数の壁は、ヤング率２０ＭＰａ以下を有する材料、またはヤング率１２ＭＰａ以下を有する材料、またはヤング率５ＭＰａ以下を有する材料、またはヤング率１ＭＰａ以下を有する材料で作られている、請求項１に記載の装置。
【請求項１０】
前記壁は先細りしてヒンジを形成し、前記ヒンジは、前記安定化構造体が前記創傷内に挿入されたとき、前記創傷に陰圧を加えると、１または複数の壁の間の接合部で回転を増加させるように寸法決めされ構成されている、請求項１に記載の装置。
【請求項１１】
前記安定化構造体は、均一な内径のセル、または、不均一な内径のセルを備え、さらに、前記内径は、前記安定化構造体が前記創傷内に挿入されたとき、前記創傷に陰圧を加えると、前記安定化構造体のつぶれを減らすように寸法決めされ構成されている、請求項１に記載の装置。
【請求項１２】
前記内径は、前記安定化構造体が前記創傷内に挿入されたとき、前記創傷に陰圧を加えると、前記安定化構造体のつぶれを増やすように寸法決めされ構成されている、請求項１１に記載の装置。
【請求項１３】
前記安定化構造体の中央部に隣接するセルの量は、前記安定化構造体の前記第１端または前記第２端に隣接するセルの量より大きく、前記複数のセルは、前記安定化構造体が前記創傷内に挿入されたとき、前記創傷に陰圧を加えると、前記安定化構造体の前記第１端および前記第２端のつぶれを増やすように寸法決めされ構成されている、請求項１に記載の装置。
【請求項１４】
前記安定化構造体とともに前記創傷内に配される多孔フォーム材をさらに含む、請求項１〜１３の何れか一項に記載の装置。
【請求項１５】
陰圧創傷治療を行う創傷治療用装置であって、前記創傷治療用装置は、
創傷に挿入するための安定化構造体を備え、前記安定化構造体は、
ｙ方向に対応する長さであって、前記安定化構造体の第１端と第２端との間で前記安定化構造体の中央長軸に沿って延在する長さと、
ｘ方向に対応する幅であって、前記長さに対して直角を成し、前記安定化構造体の第１面と第２面と間の前記安定化構造体の中央横軸に沿って延在する幅と、
ｚ方向に対応する高さであって、前記長さおよび前記幅をに対して直角を成し、前記安定化構造体の上面と底面との間で延在する高さとを有し、
前記安定化構造体は、１または複数の壁によって画定された複数のセルであって、前記ｘ方向および前記ｙ方向に平行な水平面内で並んで設けられている前記複数のセルを有し、
前記安定化構造体は、前記安定化構造体が前記創傷内に挿入されたとき、前記創傷に陰圧を加えると、前記安定化構造体は、ｚ方向よりも水平面内で大きくつぶれ、前記安定化構造体は、前記ｙ方向よりも前記ｘ方向に大きくつぶれるように構成され、
前記安定化構造体の前記中央横軸からより遠くに配置された前記複数のセルは、陰圧を加えると、前記安定化構造体の長手方向の端部の一方または両方に、前記長手方向の両端部の間の前記安定化構造体の中央部と均一なつぶれを生じさせるように、寸法決めされ構成されている、
装置。
【請求項１６】
前記安定化構造体は目の形を有し、前記中央長軸および前記中央横軸に関して対称であり、異なるサイズのセルを有し、前記セルの大部分はダイヤモンド形状であり、異なる厚さの１つ以上の壁を有し、異なる内径の１つ以上のセルを有する請求項１５に記載の装置。
【請求項１７】
前記安定化構造体は、異なる剛性または硬度の壁を有する、請求項１５または１６に記載の装置。
【請求項１８】
前記安定化構造体の前記中央横軸のより近くに配置されたセルは、前記安定化構造体の前記中央横軸からより遠くに配置されたセルよりも大きい、または、前記安定化構造体の前記中央長軸のより近くに配置されたセルは、安定化構造体の前記中央長軸からより遠くに配置されたセルよりも大きい、請求項１５〜１７の何れか一項に記載の装置。
【請求項１９】
前記安定化構造体の前記長手方向の端に比較的近い前記複数のセルの少なくともいくつかは、前記中央長軸に比較的近いセルよりも大きく、前記安定化構造体は、４つの内壁によってそれぞれ画定された複数の閉じたセルを備える、請求項１５〜１８の何れか一項に記載の装置。
【請求項２０】
前記安定化構造体の前記複数のセルは、陰圧を加えると、前記安定化構造体の長手方向の一方または両方の端部が、前記中央横軸における幅とほぼ同じ幅を有してつぶれるように、寸法決めされ構成されている、請求項１５に記載の装置。